(57)【特許請求の範囲】
【請求項１】
軸筒内に筆記具用インキが充填された筆記体を配置して、該軸筒の先端開口より筆記体のペン先部が出入自在に構成されると共に、前記軸筒の先端開口に、ゴム材または弾性樹脂材で形成されるインナーキャップを備え、該インナーキャップは、軸筒軸心方向に沿ったペン先部出側に、ペン先部が出入自在となるスリットが形成されると共に前記先端開口を閉塞する閉塞部を備えたキャップレス筆記具であって、前記インナーキャップは、筆記具用インキにインキ全量に対して７０〜８５重量％含有される低級アルコール又はグリコールエーテルを含むインキ溶剤に対して気体透過性の低い材質からなり、かつ、ＪＩＳ Ｋ６２６２−１９９７で規定される圧縮永久歪み率が２０％以下の材質とＪＩＳ Ｋ ６２５３−１９９７で規定されるデュロメータ硬さを３０〜８０、ＪＩＳ Ｋ ６２５１−１９９３で規定される引張強さ（ＴＢ）を１０〜４０ＭＰａ、及び切断時伸び（ＥＢ）を６０〜３００％である材質からなり、さらに前記インナーキャップは、下記試験方法による溶剤蒸気の透過量が０．１ｇ以下となる材質を用いることを特徴とするキャップレス筆記具。
〔試験方法〕
直径４５ｍｍ×高さ１００ｍｍの有底筒状ガラス製瓶にプロピレングリコールモノメチルエーテルを１００ｇ入れ、ガラス製瓶の開口部口元に厚さ２ｍｍのシート状のゴム材を配置し、中心部に直径２５ｍｍの貫通孔を設けた金属製蓋で密封固定し、２５℃、１週間経過後の溶剤の重量変化をインキ溶剤のシート材質からの透過量として行った。
【請求項２】
前記インナーキャップは、スリットを閉じるように閉塞部に力が掛かった状態で軸筒内に装着されてなることを特徴とする請求項１記載のキャップレス筆記具。
【請求項３】
前記インナーキャップのスリットが十字状に形成されていることを特徴とする請求項１又は２に記載のキャップレス筆記具。
【発明の詳細な説明】
【０００１】
【発明の属する技術分野】
本発明は、キャップレスの筆記具に関し、特に、乾燥防止機構を有するキャップレス筆記具に関する。
【０００２】
【従来の技術】
従来、水性や油性のマーキングペン、水性ボールペンや万年筆などの筆記具においては、筆記部の先端のインキが乾燥して筆記できなくなることを防止するために、先端部を密閉するためのキャップを備えるものが一般に用いられている。
また、上記のようにキャップを備えた筆記具の場合には、頻繁に使用する際に、使用するたびにキャップを着脱する必要があり面倒であることから、別体のキャップを不要とした、いわゆるキャップレスの筆記具が数多く提案されている。
【０００３】
しかしながら、キャップレスの筆記具の場合、別体のキャップの代わりに狭い筆記体内部に先端部を密閉するための密閉機構を構成する必要があり、従来の方式によると密閉機構が複雑となり、構成部品の部品点数が多くなることで、組立て作業が複雑となり、さらに、生産コストが高くなるという問題点があった。
【０００４】
そこで、筆記部先端を密閉する方法として、実開昭４９−３２７３１号公報（以下、従来例１と称する。）に開示されているように、筆記具の軸筒内部の先端部に中央から外側に向かい切り込みを入れた弁板を組み込み、その切り込み部分より筆記部先端を突出するようにした方式や、実開昭４９−１０７４２１号公報（以下、従来例２と称する。）に開示されているように、筆記具の軸筒内部の基端部及び先端部にパッキンを設けて軸筒内部を密閉するとともに、先端部の対向当接させたパッキンの当接部より筆記部先端を突出するようにした方式や、実開昭６３−２３０８４号公報（以下、従来例３と称する。）に開示されているように、キャップ本体の前方に開口部を有する弾性自閉体を設けて、軸筒先端部のペン先部を突出するようにしたものが提案されている。
【０００５】
また、その他の方法として、特開平１−２８１９９９号公報（以下、従来例４と称する。）に開示されているように、筆記具の軸筒内部の先端部に形成され、筆記部のペン先部が収容されるシール室の先端側を開閉自在とするシール手段を備え、該ペン先部が先端部より突出する時に、シール室の先端側を開放するようにした方式や、実開昭５８−８９３９４号公報（以下、従来例５と称する。）に開示されているように、筆記具の軸筒内の先端部配置される先軸先端部にペン先部を密閉する密閉部材が密嵌固定されて、先軸の動作に伴い密嵌部材の先端部が開閉するようにした方法が提案されている。
【０００６】
しかしながら、前記従来例１、２、３のような方式によると、ペン先が突出するシール部にはすでに開口部が形成されているため密閉性に課題がある。また、従来例４のような方式によると、シール室やシール開閉機構など構造が複雑になるという課題があり、同様に、従来例５のような方式においても、別部品でシール室を構成して開口機構を設けるなど構造が複雑になるという課題がある。
【０００７】
【発明が解決しようとする課題】
本発明は、上記従来の課題に鑑み、これを解消しようとするものであり、簡単な構成で軸筒内部の先端部の密閉状態を確実にして、乾燥防止機構に優れたキャップレス筆記具を提供することを目的とする。
【０００８】
【課題を解決するための手段】
本発明は、キャップレス筆記具に係り、軸筒内に筆記具用インキが充填された筆記体を配置して、該軸筒の先端開口より筆記体のペン先部が出入自在に構成されるキャップレス筆記具において、前記軸筒の先端開口に、ゴム材または弾性樹脂材で形成されるインナーキャップを備え、前記インナーキャップの材質を特定物性のものを用いることにより、上記目的のキャップレス筆記具が得られることを見い出し、本発明を完成するに至ったのである。
すなわち、本発明のキャップレス筆記具は、次の(1)〜(4)に存する。
(1) 軸筒内に筆記具用インキが充填された筆記体を配置して、該軸筒の先端開口より筆記体のペン先部が出入自在に構成されると共に、前記軸筒の先端開口に、ゴム材または弾性樹脂材で形成されるインナーキャップを備え、該インナーキャップは、軸筒軸心方向に沿ったペン先部出側に、ペン先部が出入自在となるスリットが形成されると共に前記先端開口を閉塞する閉塞部を備えたキャップレス筆記具であって、前記インナーキャップは、筆記具用インキに含有されるインキ溶剤に対して気体透過性の低い材質からなり、かつ、ＪＩＳ  Ｋ  ６２６２−１９９７で規定される圧縮永久歪み率が２０％以下の材質からなることを特徴とするキャップレス筆記具。
(2) 前記インナーキャップは、下記試験方法による溶剤蒸気の透過量が０．１ｇ以下となる材質を用いることを特徴とする上記(1)記載のキャップレス筆記具。
〔試験方法〕
直径４５ｍｍ×高さ１００ｍｍの有底筒状ガラス製瓶にプロピレングリコールモノメチルエーテルを１００ｇ入れ、ガラス製瓶の開口部口元に厚さ２ｍｍのシート状のゴム材を配置し、中心部に直径２５ｍｍの貫通孔を設けた金属製蓋で密封固定し、２５℃、１週間経過後の溶剤の重量変化をインキ溶剤のシート材質からの透過量として行った。
(3) 前記インナーキャップは、スリットを閉じるように閉塞部に力が掛かった状態で軸筒内に装着されてなることを特徴とする上記(1)又は(2)に記載のキャップレス筆記具。
(4) 前記インナーキャップのスリットが十字状に形成されていることを特徴とする上記(1)〜(3)の何れか一つに記載のキャップレス筆記具。
【０００９】
【発明の実施の形態】
以下、本発明の実施の形態を、図面を参照して詳細に説明する。
図１〜図３は発明を実施する形態の一例であって、図中、図と同一の符号を付した部分は同一物を表わしている。
図１は本発明の実施形態に係るキャップレス筆記具の全体の構成を示す断面図、図２は前記キャップレス筆記具の使用時の状態を示す断面図、図３の（ａ）は図１のＡ−Ａ断面矢視図、（ｂ）は本実施形態に係るインナーキャップの装着前の状態を示す（ａ）のＢ−Ｂ断面矢視図、（ｃ）は前記インナーキャップの装着時の状態を示す（ａ）のＢ−Ｂ断面矢視図である。
【００１０】
本実施形態に係るキャップレス筆記具１は、図１に示すように、軸筒２内に筆記具用インキが充填された筆記体５を配置して、該軸筒２の先端部３に形成された開口部４より筆記体５のペン芯となるペン先部６を突出自在に構成したものである。
前記筆記体５は、軸筒２内の前側の内周に沿って配置されたコイルスプリング７によって後部方向に付勢されるとともに、軸筒２内後部に設けられるストッパ１０により後方で保持されている。また、筆記体５の後端部１１には、ペン先部６を突出させるための押し部１４が、軸筒後端部１２より突出自在に設けられている。
この筆記体５内には、筆記具用インキを吸蔵した中綿などのインキ吸蔵体が収容されており、該インキ吸蔵体の先端部側にペン先部６の後部が接しており、これにより、インキ吸蔵体のインキをペン先部に供給する構成となっている。なお、本実施形態では、中綿式のものであるが、コレクター構造を有するインキタンクを備える直液式の筆記体５であってもよいものである。
【００１１】
前記筆記体５の後部には、ストッパ係止部１５が軸心方向に沿って後方に向かい広いクサビ状に、かつ軸心方向に向かい突出形成されている。前記ストッパ係止部１５の後端には、軸心方向に略垂直に係止部１５ａが形成され、前記ストッパ１０には、前記係止部１５ａと対向してノッチ１０ａが形成されている。
前記筆記体５は、その後端部１１を前方に向かい、コイルスプリング７のばね力に勝って先端側へ押圧すると、ペン先部６が先端の開口部４より突出するようにされている。
【００１２】
前記軸筒２内の先端部３には、図１、図３の（ａ）〜（ｃ）に示すように、先端方向にドーム状に突出形成された閉塞部２１を有するインナーキャップ２０が設けられている。前記閉塞部２１の基部２２の一部位２２ａより、該閉塞部２１のほぼ中央部２３を通り、軸心方向を中心に対向する部位２２ｂに亘り、平面視で略直線状に外形に沿ってスリット２５が形成されている。
【００１３】
前記インナーキャップ２０は、前記インナーキャップは、筆記具用インキに含有されるインキ溶剤に対して気体透過性の低い材質からなり、かつ、ＪＩＳ  Ｋ６２６２−１９９７で規定される圧縮永久歪み率が２０％以下の材質から形成され、ドーム状の閉塞部２１の基部２２の外周端部に、三角形状断面を有するペン先側のシール部を兼ねた前側取付部２７が外周に沿って円周に亘りに連続的に先端方向に向かい突出形成されている。
また、前記基部２２の後端面２８には、前側取付部２７よりも内側で小径の矩形断面を有する後側のシール部を兼ねた後側取付部２９が円周方向全周に亘りに連続的に軸筒内側方向に向かい突出形成されている。
【００１４】
前記前側取付部２７は、図３の（ｂ）に示すように、インナーキャップ２０が軸筒２内に装着されていない状態で、先端部２７ａが軸筒軸心に沿った方向に対してやや外側に傾斜した形状に形成されている。また、後側取付部２９は、その先端部２９ａ軸筒軸心に沿った方向に対してやや内側に傾斜した形状に形成され、前記スリット２５は僅かな隙間を有している。
【００１５】
前記インナーキャップ２０の後方には、該インナーキャップ２０を軸筒２の先端部３内側に取付けるためのインナーキャップホルダ３０が配置されている。
前記インナーキャップホルダ３０は、リング状に形成され、その円周方向の外周面を前記先端部３の内壁部に嵌合するとともに、前記インナーキャップ２０の前側取付部２７を軸筒２の先端部３の内側へ取付けることで、インナーキャップ２０を軸筒２内部に装着するようにしている。
【００１６】
また、インナーキャップホルダ３０の前記インナーキャップ２０の後側取付部２９と対向する部位には、前記後側取付部２９が嵌め込まれる後側取付溝３１がリング状で略平行に凹んだ形状で形成されている。その後側取付溝３１の外形は、前記後側取付部２９の先端部２９ａの外形よりも大きくされ、前記後側取付部２９を外側に広げた状態で該後側取付溝３１に嵌め込むように構成されている。
【００１７】
前記軸筒２の先端部３の内側には、図１に示すように、インナーキャップ２０の前側取付部２７と対向する部位に、インナーキャップ取付け部３ａが段付き形成され、前側取付部２７が嵌め合わされる前側取付溝３ｂが軸心方向に沿って略平行に形成されている。その前側取付溝３ｂの外形は、前側取付部２７の先端部２７ａの外形よりも小さくされ、前側取付部２７を内側に向かい縮めた状態で前側取付溝３ｂに嵌め込むように構成されている。
【００１８】
本発明において筆記体５に充填される筆記具用インキとしては、キャップレス筆記具の用途、すなわち、水性又は油性マーキングペン等の用途に応じて、その配合組成は変動するものである。
本発明に用いることができる筆記具用インキ成分としては、少なくとも着色剤、溶剤、樹脂、その他筆記具用添加剤等を用いることができる。
着色剤としては、油溶性染料及び顔料等が挙げられ、油溶性染料としては、有機溶剤に可溶な一般の油溶性染料であればほとんど使用可能である。
例えば、染料としては、オラゾールエロー２ＧＬＮ、オラゾールレッド３ＧＬ、オラゾールブルー２ＧＬＮ、ネオンザポンブルーＦＬＥ、スピリットブラックＳＰ、パリファストレッド１３０８、オイルブルーＢＡ、オイルエロー１８５、オイルレッドＴＲ７１、オイルブラックＳ、Victoria Blue、Rhodamine 6JHSA、Flex Yellow 105等、また、顔料としては、特に限定されることなく、例えば、アゾ系顔料、縮合ポリアゾ系顔料、フタロシアニン系顔料、金属錯塩顔料、チオインジゴ顔料、染料レーキ顔料、蛍光顔料等の有機顔料及びカーボンブラック、酸化チタン等の無機顔料が挙げられ、更に、表面を樹脂コーティングで加工した加工顔料、例えば、マイクロリスＡタイプ各種、ＡＳブラック、ＡＳブルー、ＩＫレッド等も使用することができる。これらの染料及び／又は顔料は、単独又は２種以上混合して使用することもでき、その使用量は着色剤の種類や他のインキ成分により異なるが、インキ全量に対して、１〜３０重量％、好ましくは、２〜１５重量％が望ましい。
【００１９】
用いることができる溶剤としては、例えば、エチルアルコ−ル、プロピルアルコ−ル、イソプロピルアルコ−ル等の低級アルコールや、トルエン、キシレン等の芳香族炭化水素や、メチルエチルケトン、メチルイソブチルケトン等の低級脂肪族ケトンや、酢酸エチル、酢酸ブチル等の低級脂肪酸の低級アルコールエステルや、ヘキサン、ヘプタン等の脂肪族炭化水素や、シクロヘキサン、エチルシクロヘキサン等の脂環族炭化水素やグリコールのアルキルアルコール、プロピレングリコールモノメチルエーテル等のグリコールエーテル等が挙げられ、好ましくは、安全性等の点から、エチルアルコ−ル、プロピルアルコ−ル、イソプロピルアルコ−ル等の低級アルコール、グリコールのアルキルアルコール、プロピレングリコールモノメチルエーテル等のグリコールエーテルの使用が望ましい。
これらの特性を有する溶剤は、夫々単独で又は２種以上混合して使用することが可能であり、その使用量は、インキ全量に対して、５０〜９０重量％、好ましくは、７０〜８５重量％が望ましい。
【００２０】
樹脂は、溶剤に可溶な樹脂であり、被膜形成剤、被塗布面への付着剤、インキの粘度調整剤、更に、着色剤の分散剤として使用するものであり、従来より使用されている各種の天然樹脂、合成樹脂が使用でき、例えば、ロジン、エステルガム、マレイン酸変成ロジン、フェノール変成ロジン等のロジン系樹脂、エチルセルローズ、ニトロセルローズ等のセルローズ系樹脂、ポリビニルブチラール、塩化ビニル−酢酸ビニル共重合樹脂等のビニル系樹脂、石油系樹脂、ケトン系樹脂、アクリル系樹脂、アルデヒドと尿素の縮合物、マレイン酸樹脂等が挙げられ、これらは単独又は２種以上混合して使用することが可能であり、その使用量は、インキ全量に対して、０．１〜３０重量％、好ましくは、１〜２０重量％が望ましい。
その他の筆記具用添加剤としては、例えば、アニオン系、ノニオン系、カチオン系などの界面活性剤、防腐剤、防黴剤、防錆剤、潤滑剤、ｐＨ調製剤などが挙げられる。
【００２１】
本発明におけるインナーキャップ２０は、第１要件として、上述の如く、筆記具用インキに含有されるインキ溶剤に対して気体透過性の低い材質から構成、具体的には、上述のプロピルアルコ−ル、イソプロピルアルコ−ル等の低級アルコールや、芳香族炭化水素、低級脂肪族ケトン、低級アルコールエステル、脂肪族炭化水素、脂環族炭化水素、グリコールエーテル等に対して気体透過性の低い材質から構成されている。
これらのインキ溶剤に対して気体透過性の低い材質としては、好ましくは、下記試験方法による溶剤蒸気の透過量が０．１ｇ以下、更に好ましくは、０．０５ｇ以下となる材質を用いることが望ましい。
〔試験方法〕
図４（ａ）〜（ｄ）に示すように、直径４５ｍｍ×高さ１００ｍｍの有底筒状ガラス製瓶４０にプロピレングリコールモノメチルエーテル５０を１００ｇ入れ、ガラス製瓶４０の開口部４１口元に厚さ２ｍｍのシート状のゴム材６０を配置し、中心部に直径２５ｍｍの貫通孔７１を設けたブリキ製の金属製蓋７０で密封固定し、２５℃、１週間経過後の溶剤の重量変化をインキ溶剤のシート材質からの透過量として行った。
なお、上記試験方法において用いたインキ溶剤としてプロピレングリコールモノメチルエーテルを用いたが、エチルアルコ−ル、プロピルアルコ−ル、イソプロピルアルコ−ル等の低級アルコール、グリコールのアルキルアルコール、その他のグリコールエーテルなどの溶剤を用いたものであっても、これらの溶剤蒸気の透過量が０．１ｇ以下、更に好ましくは、０．０５ｇ以下となる材質を用いることが望ましい。
【００２２】
上記試験方法による溶剤蒸気の透過量が０．１ｇを越える材質からなるものであると、ペン先部がドライアップしてしまうことがあり、インナーキャップとしての乾燥防止機能を発揮しなくなり、好ましくない。
更に、本発明では、第２要件として、上記インナーキャップ２０が、ＪＩＳ  Ｋ  ６２６２−１９９７で規定される圧縮永久歪み率が２０％以下、好ましくは、１０％以下、更に好ましくは、８％以下のゴム材または弾性樹脂材で形成されていることが必要である。
このインナーキャップ２０は、▲１▼上記インキ溶剤に対して気体透過性の低い材質から構成されること、好ましくは、上記試験方法による溶剤蒸気の透過量が０．１ｇ以下の材質から構成され、かつ、▲２▼圧縮永久歪み率が２０％以下となるゴム材または弾性樹脂材からなる材質を用いたものとすることにより、初めて、本発明の目的の効果、すなわち、軸筒内部の先端部のスリットの密閉状態が経時的に完全なものとなり、ペン先部がドライアップすることがなく、インナーキャップとしての乾燥防止機能を発揮することとなる。
なお、上記▲１▼及び▲２▼の両方の要件を充足しないインナーキャップでは、上記本発明の目的の効果を発揮しないこととなる。
【００２３】
本発明において、インナーキャップ２０は、上記インキ溶剤に対して気体透過性の低い材質から構成され、好ましくは、上記試験方法による溶剤蒸気の透過量が０．１ｇ以下の材質から構成され、かつ、圧縮永久歪み率が２０％以下となるゴム材または弾性樹脂材からなる材質であれば、特に限定されず、例えば、これらの要件を充足するエチレンプロピレンゴム（ＥＰＤＭ）、ブチルゴム（ＩＩＲ）、シリコーンゴム（Ｑ）、クロロプレンゴム（ＣＲ）、アクリロニトリルブタジエンゴム（ＮＢＲ）、ウレタンゴム（Ｕ）、フッ素ゴム（ＦＫＭ）、クロロスルホン化ゴポリエチレンゴム（ＣＳＭ）、エピクロロヒドリンゴム、多硫化ゴム、オレフィン系熱可塑性エラストマー、その他上記各ゴム同士のブレンド品、上記各ゴムと樹脂材とのブレンド品などが挙げられ、更に好ましくは、上記▲１▼及び▲２▼の要件を充足するＥＰＤＭ、ＩＩＲ、ＣＲ、ＦＫＭ、オレフィン系熱可塑性エラストマーが望ましい。
なお、本発明では、例えば、ゴム種が同じＥＰＤＭ、ＩＩＲなどであっても、そのゴム配合剤種（補強性充填剤、軟化剤、架橋剤、老化防止剤等の種類）及びその各配合量の相違により、インキ溶剤に対して気体透過性の低い材質、例えば、上記試験方法による溶剤蒸気の透過量が０．１ｇ以下となるもの、または、当該溶剤蒸気の透過量が０．１ｇを越えるもの、更に、圧縮永久歪み率が２０％以下となるもの、または、２０％を越えるものが製造されるものとなるので、インキ溶剤に対して気体透過性の低い材質、好ましくは、上記試験方法による溶剤蒸気の透過量が０．１ｇ以下となり、かつ、圧縮永久歪み率が２０％以下等となる材質のもの（ゴム組成物又は軟質樹脂剤組成物）を調製し、本発明となるインナーキャツプに加工して用いることとなる。
【００２４】
本発明のインナーキャップ２０は、好ましくは、更に、ＪＩＳ  Ｋ  ６２５３−１９９７で規定されるデュロメータ硬さを２０〜９０、ＪＩＳ  Ｋ  ６２５１−１９９３で規定される引張強さ（ＴB）を４〜５０ＭＰａ、及び切断時伸び（ＥB）を５０〜６００％となるゴム材または弾性樹脂材からなる材質となるものが望ましく、更に好ましくは、デュロメータ硬さ３０〜８０とし、引張強さ１０〜４０ＭＰａ及び切断時伸び６０〜３００％とすることが望ましい。
インナーキャップ２０のデュロメータ硬さを２０〜９０、引張強さを４〜５０ＭＰａ及び切断時伸びを５０〜６００％とすることにより、更に、簡単な構成で軸筒内部の先端部の密閉状態を更に確実にしてペン先部のドライアップを更に確実に防止して優れたキャップレス機能を有するキャップレス筆記具が提供されることとなる。
【００２５】
次に、本実施形態に係るキャップレス筆記具の作動を説明する。
まず、キャップレス筆記具１を使用しない場合、図１に示すように、軸筒２の内部に筆記体５とともにペン先部６も収容されている。
【００２６】
前記キャップレス筆記具１を使用する場合、図２に示すように、軸筒２を握り、筆記体５の後端部に形成された押し部１４をコイルスプリング７のばね力に勝って先端方向へ押し込む。
図１から図２に示すように、筆記体５が軸筒２内部に入り込むとともに、該筆記体５の後端部１１に形成されたストッパ係止部１５が先端方向に移動する。そして、ストッパ１０を通過して該ストッパ１０端部のノッチ１０ａとストッパ係止部１５の係止部１５ａと対向する位置まで移動する。この時、前記押し部１４は軸筒後端部１２の端部に配置している。
【００２７】
ペン先部６は、インナーキャップ２０の閉塞部２１のスリット２５を押し開き、軸筒２の先端部３の開口部４より突出した状態となっている。
この状態で、前記押し部１４を開放すると、コイルスプリング７のばね力により筆記体５は後方に押し戻されるが、前記ノッチ１０ａに係止部１５ａが止められるため、前記筆記体５が後方から突出することはない。したがって、開口部４よりペン先部６が突出した状態で保持される。
【００２８】
次に、ペン先部６を収容する場合は、ストッパ１０の側面を押し込むことで、ノッチ１０ａと係止部１５ａとを容易に外すことができ、コイルスプリング７のばね力により筆記体５を後方に移動して、ペン先部６を軸筒２内部に収容することができる。
【００２９】
この時、インナーキャップ２０において、スリット２５からペン先部６が軸筒２内に退避すると、インナーキャップ２０は、上述の如く、インキ溶剤に対して気体透過性の低い材質から構成されるもの、好ましくは、上記試験方法による溶剤蒸気の透過量が０．１ｇを以下の材質、更に好ましくは、圧縮永久歪み率が２０％以下のゴム材または弾性樹脂材で形成されたものであるので、この弾性力と閉塞部２１の外側から内側に作用する力によってインナーキャップに形成されたスリット２５は隙間が密着した状態となる。したがって、キャップレス筆記具１を使用しない状態では、スリット２５及びインナーキャップ自体からのインキに含まれる溶剤など揮発物質の揮発及び透過を最小限に止めることができる。
【００３０】
このように構成される本実施形態によるキャップレス筆記具１によれば、インナーキャップ２０を軸筒内に保持するにインナーキャップホルダ３０を設けたことで、容易にインナーキャップ２０を軸筒２内に取付けることができる。
さらに、前記インナーキャップ２０に、前側取付部２７および後側取付部２９を形成したので軸筒２内部の密閉状態を確実にすることができる。
【００３１】
また、本実施形態によれは、前記インナーキャップホルダ３０のインナーキャップ２０を取付けるための後側取付溝３１の形状を、前記インナーキャップ２０の後側取付部２９の先端部２９ａの外形よりも大きく構成し、先端部２９ａが外側に開くように後側取付溝３１に嵌め込むようにしたので、後側取付部２９が外側に広げられることにより、後側取付部２９から連続して形成される閉塞部２１に外周側から中央部の方向に圧する力が作用するため、すなわち、前記閉塞部２１の略中央部に形成されるスリット２５の隙間を閉じる方向に力が作用するので、閉塞部２１を形成するゴム材または弾性樹脂材の弾性による復元力を加えて、さらに密着性を高めることができる。
【００３２】
また、本実施形態によれば、インナーキャップ２０に軸筒２内に嵌め込まれる前側取付部２７を突出形成し、軸筒２の先端部３内側にインナーキャップ２０の前側取付部２７が嵌め込まれる前側取付溝３ｂを形成し、該前側取付部２７の先端部２７ａが外周方向内側に向うようにしたので、閉塞部２１の外周側よりスリット２５に向かい力が作用し、すなわち、前記閉塞部２１の略中央部に形成されるスリット２５の開口を閉じる方向に力が作用するので、さらに密着性を高めることができる。
【００３３】
更に、本実施形態によれは、インナーキャップ２０の閉塞部２１を、先端開口に向かいドーム状に突出形成したので、該閉塞部２１の剛性を高くでき、スリット２５を閉じる方向に力が作用した場合に確実にスリット２５を密着させることができる。
【００３４】
本発明は、軸筒内に筆記具用インキを充填された筆記体を配置して、該軸筒の先端開口より筆記体のペン先部が出入自在に構成されると共に、前記軸筒の先端開口に、ゴム材または弾性樹脂材で形成されるインナーキャップを備え、このインナーキャップは、軸筒軸心方向に沿ったペン先部出側に、ペン先部が出入自在のスリットが形成されると共に前記先端開口を閉塞する閉塞部を備えると共に、該インナーキャップをインキ溶剤に対して気体透過性の低い材質から構成されるもの、好ましくは、上記試験方法による溶剤蒸気の透過量が０．１ｇ以下の材質であって、かつ、ＪＩＳ  Ｋ  ６２６２−１９９３で規定される圧縮永久歪み率が２０％以下の材質からなることを要旨とするので、この以外の構成は特に限定されるものではなく、好ましくは、上記実施形態の構造となるキャップレス筆記具が望ましいものである。
【００３５】
本発明のキャップレス筆記具では、図１の状態で、横向き配置で３５℃で２週間経過後において、インキ溶剤としてプロピレングリコールモノメチルエーテルや、エチルアルコ−ル、プロピルアルコ−ル、イソプロピルアルコ−ル等の低級アルコール、グリコールのアルキルアルコール、その他のグリコールエーテルなどの溶剤を用いた場合にも、インナーキャップのシール機能に優れ、問題なく筆記することができる乾燥防止機構に優れたキャップレス筆記具とすることができるものとなる。
なお、上記実施形態では、インナーキャップ２０の閉塞部２１の形状をドーム状としているが、本発明は、閉塞部の形状に限定されるものではなく、例えば、平面状としたものや凹状に凹んだ形状としたもの、あるいは円錐状、多角錐状としたものであっても良い。
【００３６】
また、上記実施形態では、インナーキャップ２０の閉塞部２１の中央部を通るスリット２５を１箇所に形成しているが、本発明は、スリットの形状や数に限定されるものではなく、スリットを複数形成したものであっても良く、例えば、閉塞部２１の中央部より放射状に３本形成して略三菱状にしたものや、４本形成して十字状に形成したもの、あるいは６本形成したものであってもよく、好ましくは、密閉状態を確実にする点から上記実施形態のスリット２５を１箇所に形成したもの、４本形成して十字状に形成したものが望ましい。なお、十字状であればその長さは同じであっても異なってもいてもよい。
【００３７】
また、上記実施形態では、インナーキャップ２０の取付部である前側取付部２７、後側取付部２９を、連続的にリング状に形成しているが、本発明は、インナーキャップ２０の取付部の形状に限定されるものではなく、例えば、閉塞部に形成されたスリットの形状によって、スリットを閉じるような力が有効に作用するように、取付部を部分的に構成したものや取付部を分割したものを連続的に構成したものであっても良い。
【００３８】
更に、上記実施形態では、インナーキャップ２０の取付部の形状を、前側取付部２７の先端部を外側に広く構成し、後側取付部２９の先端部２９ａを内側に狭く構成するようにしているが、本発明においては、閉塞部２１に形成されたスリットを閉じるように力が作用するように構成したものであれば、インナーキャップ２０の取付部の形状や構成に限定されるものではなく、例えば、前側取付部２７の先端部を内側に狭く構成したものや、後側取付部２９の先端部２９ａを外側に広く構成したもの、あるいは、取付部を軸心に沿った向きに略平行に構成したものであっても良い。すなわち、閉塞部の外周部を変形させることによりスリットを閉じるようにしたものであれば、取付部や閉塞部周りの形状や構成を限定するものではない。
【００３９】
また、本発明のキャップレス筆記具は、上述した説明や図示例にのみ限定されるものではなく、本発明の要旨を逸脱しない範囲内において種々変更を加え得ることは勿論である。例えば、筆記具用インキを塗布液とし、筆記体を塗布具本体とした塗布具であってもよいものである。
【００４０】
【実施例】
次に、本発明を実施例及び比較例により、更に詳しく説明するが、本発明は、下記実施例に限定されるものではない。
【００４１】
〔実施例１〜２及び比較例１〜４〕
下記表１に示すゴム材質（ＥＰＤＭ，ＩＩＲ，ＮＢＲ，Ｑ）、特性（硬さ、引張強さ、伸び、圧縮永久歪み率、インキ溶剤透過量）を有する各ゴム材質をインナーキャップ２０の材料として使用した。
【００４２】
使用した各ゴム材質の特性試験は、デュロメータ硬さについては、ＪＩＳ  Ｋ６２５３−１９９７の加硫ゴム及び熱可塑性ゴムの硬さ試験方法（デュロメータ硬さ試験方法）に準拠し、引張強さ（ＴB）及び切断時伸び（ＥB）については、ＪＩＳ  Ｋ  ６２５１−１９９３の加硫ゴムの引張試験方法（試験片形状：ダンベル状３号形）に準拠し、圧縮永久歪みについては、ＪＩＳ  Ｋ  ６２６２−１９９７の加硫ゴム及び熱可塑性ゴムの永久ひずみ試験方法（試験片形状：大型試験片、試験温度：１００±１℃、試験時間：１６８時間、試験片を圧縮する割合２５％）に準拠して測定した。
また、溶剤透過量は、上述の試験方法により試験した。
【００４３】
この各ゴム材質をインナーキャップ２０の材料として使用、成型加工し、インナーキャップの特性値が異なる（インナーキャップの構造、形状、厚み等は同じ）各キャップレス筆記具（図１〜図３のキャップレス筆記具）を作製した。なお、スリット長さ９ｍｍである。
得られた各キャップレス筆記具について、下記方法により、インナーキャップのシール性能、経時耐久性及び経時耐久性後のシール機能について評価した。
これらの結果を下記表１に示す。
【００４４】
〔インナーキャップのシール性能の評価方法〕
インナーキャップ２０を図１の状態で筆記体５に装着し、筆記体内に下記配合組成のインキ５ｍｌを充填し、横向き配置で、３５℃、２週間放置後の筆記具の筆記性を下記評価基準で評価した。なお、筆記体内のインキ吸蔵体は、長さ７０ｍｍ、直径１３．５ｍｍ、ＰＥＴ製であり、ペン先部となるペン芯は、長さ３５ｍｍ、直径４ｍｍ、アクリル製のものを用いた。
評価基準：
〇：３５℃、２週間放置後でも問題なく筆記できた。
×：３５℃、２週間放置後には筆記できなくなった。
【００４５】
配合組成：（配合単位：質量％）
プロピレングリコールモノメチルエーテル              ８４．０
ラロパールＡ−１０１                                １２．０
〔アルデヒドと尿素の縮合物、ＢＡＳＦ社製〕
Ｖｉｃｔｏｒｉａ  Ｂｌｕｅ  ＢＳＡ                    ３．０
〔染料、ゼネカ社製〕
Ｒｈｏｒｄａｍｉｎ  ６ＪＨＳＡ                        １．０
〔染料、ゼネカ社製〕
【００４６】
〔経時耐久性の評価方法〕
下記表１に示すゴム物性を有する各ゴム材質で成型を行った図３に示すインナーキャップ２０を図１の状態で筆記体に装着した。ただし、筆記体５はインキが充填されていない状態である。
次いで、筆記体５を図２に示すように、インナーキャップ部材２０をペン芯となるペン先部６が貫通し、スリット２５を広げた状態にし、５０℃で、３日間放置した。
３日後にペン芯６を戻した（図１の状態）時のスリット２５の隙間の戻りの程度を下記評価基準により、目視で評価した。
評価基準：
〇：スリット溝（２５）の隙間がほとんど元の状態に戻っている。
×：スリット溝（２５）の隙間がかなり開いている。
【００４７】
〔経時耐久性試験後のシール性の評価方法〕
上記ゴム戻り性試験後のインナーキャップ２０を図１の状態で筆記体５に装着し、筆記体内に上記配合組成のインキ５ｍｌを充填し、３５℃、１カ月放置後のペン芯の筆記性を下記評価基準により、評価した。なお、筆記体内のインキ吸蔵体及びペン先部となるペン芯は、上記のものと同じものを用いた。
評価基準：
〇：問題なく筆記できる。
△：筆記は行うことができるが筆記描線がかなり掠れる。
×：ペン先が完全にドライアップし筆記できない。
【００４８】
【表１】
0004671547.tif 000002
【００４９】
上記表１の結果から明らかなように、本発明範囲となる実施例１〜２は、インナーキャップの気密性は十分に保たれ、３５℃、２週間放置しても筆記は問題なく筆記することができた。これに対して、本発明の範囲外となる比較例１〜４では、インナーキャップの気密性が十分でないため、インキ溶剤がゴム等を透過し揮発したため、３５℃、２週間放置後には筆記できないものとなった。
個別的にみると、実施例１〜２は、溶剤透過量が低い材質からなり、かつ圧縮永久歪み率が２０％以下で形成されたインナーキャップを用いた筆記具では、５０℃で３日間押し広げられた状態で放置する経時耐久性試験後もスリットが広がったままになることはなく確実に閉塞し、経時耐久性試験後のインナーキャップを使用しての３５℃、２週間後の筆記性は何等問題なく筆記することができた。
これに対して、比較例１及び２では、溶剤透過量が低い材質で形成されたものであっても圧縮永久歪みが２０％を越えるインナーキャップを用いた筆記具では、５０℃で３日間押し広げられた状態で放置する経時耐久性試験後ではスリットは広がり、経時耐久性試験後のインナーキャップを使用しての３５℃、２週間後の筆記性はかなり掠れることとなり、好ましくないことが判った。
また、比較例３の圧縮永久歪み率が２０％を越え、溶剤透過量が高い材質で形成されたインナーキャップを用いた筆記具は、経時耐久性試験後でのスリットは広がったままとなり、経時耐久性試験後のインナーキャップを使用しての３５℃、２週間後では筆記することができなかった。更に、比較例４の圧縮永久歪み率が２０％以下の材質であっても溶剤透過量が高い材質で形成されたインナーキャップを用いた筆記具では、経時耐久性試験後でのスリットの広がりはなかったが、インナーキャップの気密性が十分でないため、インキ溶剤がゴムを透過し揮発してしまうため、３５℃、２週間放置後には筆記することができなかった。
【００５０】
【発明の効果】
本発明によれば、簡単な構成で軸筒内部の先端部を密閉し、しかも、筆記具用インキに含有されるインキ溶剤の透過量も低いので、ペン先部の密閉状態を確実にすることができ、長期保存性に優れたキャップレス筆記具が提供される。
また、スリットを閉じるように閉塞部に力が掛かった状態で軸筒内に装着すれば、スリットを常に閉じる方向に力が掛かかることとなり、ペン先突出部の密着性を更に高めることができるので、軸筒内のペン先部近傍の密閉状態を確実にすることができる。
【図面の簡単な説明】
【図１】本発明の実施形態に係るキャップレス筆記具の全体の構成を示す断面図である。
【図２】前記キャップレス筆記具の使用時の状態を示す断面図である。
【図３】（ａ）は本実施形態に係るインナーキャップの平面視を示す図１のＡ−Ａ断面矢視図、（ｂ）は前記インナーキャップの装着前の状態を示す（ａ）のＢ−Ｂ断面矢視図、（ｃ）は前記インナーキャップの装着時の状態を示す（ａ）のＢ−Ｂ断面矢視図である。
【図４】（ａ）〜（ｄ）は、本発明の試験方法を説明するための斜視図態様の説明図である。
【符号の説明】
１  キャップレス筆記具
２  軸筒
３  先端部
３ａ  インナーキャップ取付部
３ｂ  前側取付溝
４  開口部
５  筆記体
６  ペン先部
２０  インナーキャップ
２１  閉塞部
２５  スリット
２７  前側取付部
２９  後側シール部
２７ａ  先端部
２９  後側取付部
２９ａ  先端部
３０  インナーキャップホルダ
３１  後側取付溝
【図１】
0004671547.tif 000003
【図２】
0004671547.tif 000004
【図３】
0004671547.tif 000005
【図４】
0004671547.tif 000006